(57)【要約】  Ｄ２Ｄ（device−to−device）通信の間に複数の装置への送信を補償する方法は、Ｄ２Ｄペアの受信無線装置がタイミング衝突を経験し得ることを決定するステップを有しても良い。タイミング衝突は、受信無線装置が送信モードと受信モードとの間を遷移している間に、受信無線装置が、Ｄ２Ｄペアの送信無線装置により送信されたＤ２Ｄ通信の少なくとも一部を受信することに関しても良い。方法は、タイミング衝突を補償するためにＤ２Ｄ通信を調整するステップを更に有しても良い。
2016517673.tif 000002
【特許請求の範囲】
【請求項１】
Ｄ２Ｄ（device−to−device）通信の間に複数の装置への送信を補償する方法であって、前記方法は、
受信無線装置が送信モードと受信モードとの間を遷移している間に、Ｄ２Ｄペアの送信無線装置により送信されるＤ２Ｄ通信の少なくとも一部を受信することに関して、前記Ｄ２Ｄペアの前記受信無線装置がタイミング衝突を経験し得ることを決定するステップと、
前記タイミング衝突を補償するために前記Ｄ２Ｄ通信を調整するステップと、
を有する方法。
【請求項２】
前記タイミング衝突を補償するために前記Ｄ２Ｄ通信を調整するステップは、前記Ｄ２Ｄ通信の中のシンボルを調整するステップを有する、請求項１に記載の方法。
【請求項３】
前記Ｄ２Ｄ通信を調整するステップは、前記Ｄ２Ｄ通信の１又は複数のシンボルをドロップするステップと、前記Ｄ２Ｄ通信の前記１又は複数のシンボルにヌル情報を含めるステップと、前記１又は複数のシンボルのタイミングを調整するステップと、前記Ｄ２Ｄ通信の前記１又は複数のシンボルの長さを短縮するステップと、のうちの１又は複数を有する、請求項１に記載の方法。
【請求項４】
前記タイミング衝突を補償するために前記Ｄ２Ｄ通信を調整するステップは、前記Ｄ２Ｄ通信の最後のシンボルをドロップするステップと、前記Ｄ２Ｄ通信の最初のシンボルをドロップするステップと、のうちの１又は複数を有する、請求項１に記載の方法。
【請求項５】
前記タイミング衝突を補償するために前記Ｄ２Ｄ通信を調整するステップは、前記Ｄ２Ｄ通信の最初のシンボルにヌル情報を含めるステップと、前記Ｄ２Ｄ通信の最後のシンボルにヌル情報を含めるステップと、のうちの１又は複数を有する、請求項１に記載の方法。
【請求項６】
前記タイミング衝突を補償するために前記Ｄ２Ｄ通信を調整するステップは、前記Ｄ２Ｄ通信の最初のシンボルの長さを短縮するステップと、前記Ｄ２Ｄ通信の最後のシンボルの長さを短縮するステップと、のうちの１又は複数を有する、請求項１に記載の方法。
【請求項７】
前記タイミング衝突を補償するために前記Ｄ２Ｄ通信を調整するステップは、前記Ｄ２Ｄ通信の送信を遅らせるステップ、又は前記Ｄ２Ｄ通信の送信を早めるステップ、を有する請求項１に記載の方法。
【請求項８】
前記受信無線装置が前記送信モードから前記受信モードへ遷移している間に、前記受信無線装置が前記タイミング衝突を経験することを決定するステップと、
前記受信無線装置が前記送信モードから前記受信モードへ遷移するのに基づき、前記Ｄ２Ｄ通信の最初の部分を調整するステップと、
を更に有する請求項１に記載の方法。
【請求項９】
前記受信無線装置が前記受信モードから前記送信モードへ遷移している間に、前記受信無線装置が前記タイミング衝突を経験することを決定するステップと、
前記受信無線装置が前記受信モードから前記送信モードへ遷移するのに基づき、前記Ｄ２Ｄ通信の最後の部分を調整するステップと、
を更に有する請求項１に記載の方法。
【請求項１０】
前記タイミング衝突を補償するために前記Ｄ２Ｄ通信を調整するステップは、無線通信ネットワークアクセスポイントが、前記Ｄ２Ｄ通信を調整するよう前記送信無線装置に命令するステップを有する、請求項１に記載の方法。
【請求項１１】
前記タイミング衝突を補償するために前記Ｄ２Ｄ通信を調整するステップは、前記送信無線装置が前記Ｄ２Ｄ通信を調整するステップを有する、請求項１に記載の方法。
【請求項１２】
前記送信無線装置及び無線通信ネットワークアクセスポイントに関連する時間調整に基づき、前記Ｄ２Ｄ通信の送信及び受信をスケジューリングするステップ、を更に有する請求項１に記載の方法。
【請求項１３】
Ｄ２Ｄ（device−to−device）通信の間に複数の装置への送信を補償することに関連する動作を実行するよう構成されるハードウェアであって、前記動作は、
受信無線装置が送信モードと受信モードとの間を遷移している間に、Ｄ２Ｄペアの送信無線装置により送信されるＤ２Ｄ通信の少なくとも一部を受信することに関して、前記Ｄ２Ｄペアの前記受信無線装置がタイミング衝突を経験し得ることを決定するステップと、
前記タイミング衝突を補償するために前記Ｄ２Ｄ通信を調整するステップと、
を有する、ハードウェア。
【請求項１４】
前記タイミング衝突を補償するために前記Ｄ２Ｄ通信を調整するステップは、前記Ｄ２Ｄ通信の中のシンボルを調整するステップを有する、請求項１３に記載のハードウェア。
【請求項１５】
前記Ｄ２Ｄ通信を調整するステップは、前記Ｄ２Ｄ通信の１又は複数のシンボルをドロップするステップと、前記Ｄ２Ｄ通信の前記１又は複数のシンボルにヌル情報を含めるステップと、前記１又は複数のシンボルのタイミングを調整するステップと、前記Ｄ２Ｄ通信の前記１又は複数のシンボルの長さを短縮するステップと、のうちの１又は複数を有する、請求項１３に記載のハードウェア。
【請求項１６】
前記タイミング衝突を補償するために前記Ｄ２Ｄ通信を調整するステップは、前記Ｄ２Ｄ通信の最後のシンボルをドロップするステップと、前記Ｄ２Ｄ通信の最初のシンボルをドロップするステップと、のうちの１又は複数を有する、請求項１３に記載のハードウェア。
【請求項１７】
前記タイミング衝突を補償するために前記Ｄ２Ｄ通信を調整するステップは、前記Ｄ２Ｄ通信の最初のシンボルにヌル情報を含めるステップと、前記Ｄ２Ｄ通信の最後のシンボルにヌル情報を含めるステップと、のうちの１又は複数を有する、請求項１３に記載のハードウェア。
【請求項１８】
前記タイミング衝突を補償するために前記Ｄ２Ｄ通信を調整するステップは、前記Ｄ２Ｄ通信の最初のシンボルの長さを短縮するステップと、前記Ｄ２Ｄ通信の最後のシンボルの長さを短縮するステップと、前記Ｄ２Ｄ通信の送信を遅らせるステップ又は前記Ｄ２Ｄ通信の送信を早めるステップと、のうちの１又は複数を有する、請求項１３に記載のハードウェア。
【請求項１９】
前記動作は、
前記受信無線装置が前記送信モードから前記受信モードへ遷移している間に、前記受信無線装置が前記タイミング衝突を経験することを決定するステップと、
前記受信無線装置が前記送信モードから前記受信モードへ遷移するのに基づき、前記Ｄ２Ｄ通信の最初の部分を調整するステップと、
を更に有する、請求項１３に記載のハードウェア。
【請求項２０】
前記動作は、
前記受信無線装置が前記受信モードから前記送信モードへ遷移している間に、前記受信無線装置が前記タイミング衝突を経験することを決定するステップと、
前記受信無線装置が前記受信モードから前記送信モードへ遷移するのに基づき、前記Ｄ２Ｄ通信の最初の部分を調整するステップと、
を更に有する、請求項１３に記載のハードウェア。
【発明の詳細な説明】
【技術分野】
【０００１】
本開示は、装置間通信（Ｄ２Ｄ）通信における信号タイミングに関連する。
【背景技術】
【０００２】
無線通信ネットワークを用いるスマートフォン、タブレット、ラップトップコンピュータ、及び他の電子装置（概して「無線装置」として表す）の急増は、ユビキタスな及び連続的な無線音声及びデータアクセスに対する増大する需要を作り出している。装置間（Ｄ２Ｄ）通信は、この需要を満たすのを助けることができる。例えば、Ｄ２Ｄ通信は、無線装置間で実行されても良く、無線装置が互いに情報を通信できるようにする。このＤ２Ｄ通信は、無線通信リソースの再利用を可能にでき、無線音声及びデータアクセスに対する需要を満たすのを助けることができる。
【０００３】
本願明細書で請求される主題は、上述のような欠点を解決する実施形態や上述のような環境でのみ機能する実施形態に限定されない。むしろ、この背景技術は、単に、本願明細書に記載される複数の実施形態が実施される技術分野の一例を説明するために提供される。
【発明の概要】
【課題を解決するための手段】
【０００４】
一実施形態の一態様によると、Ｄ２Ｄ（device−to−device）通信の間に複数の装置への送信を補償する方法は、Ｄ２Ｄペアの受信無線装置がタイミング衝突を経験し得ることを決定するステップを有しても良い。タイミング衝突は、受信無線装置が送信モードと受信モードとの間を遷移している間に、受信無線装置が、Ｄ２Ｄペアの送信無線装置により送信されたＤ２Ｄ通信の少なくとも一部を受信することに関しても良い。方法は、タイミング衝突を補償するためにＤ２Ｄ通信を調整するステップを更に有しても良い。
【０００５】
実施形態の目的及び利点が理解され、少なくとも特に特許請求の範囲で指摘された要素、特徴及び組合せを用いて達成されるだろう。
【０００６】
上述の全体的説明及び以下の詳細な説明の両方は、例示及び説明のためであり、本発明の範囲を限定しないことが理解される。
【図面の簡単な説明】
【０００７】
例示的な実施形態は、添付の図面を用いて、更なる特異性及び詳細事項と共に記載され説明される。
【図１】無線装置間の装置間（Ｄ２Ｄ）通信のために構成される例示的な無線通信ネットワークを示す。
【図２】無線通信ネットワークにおいて通信のために用いられる通信プロトコル構造の一部であり得る無線フレームを示す。
【図３】図２の無線フレームの一部であり得るアップリンクサブフレームを示す。
【図４】Ｄ２Ｄペア及びアクセスポイントを含む例示的な無線通信ネットワークを示す。
【図５】図４のＤ２Ｄペアの受信無線装置において受信され得るＤ２Ｄ通信のためのタイミング図を示す。
【図６】図４のＤ２Ｄペアの受信無線装置において受信され得るＤ２Ｄ通信のための別のタイミング図を示す。
【図７】Ｄ２Ｄ通信中に複数の装置への送信を補償する例示的な方法のフローチャートである。
【発明を実施するための形態】
【０００８】
特定の実施形態では、及び以下に詳述するように、無線通信ネットワークは、Ｄ２Ｄ（device−to−device）通信を実現するために、無線通信リソース（例えば、周波数帯、タイムスロット、等）を１又は複数のＤ２Ｄペアに割り当てるよう構成されても良い。Ｄ２Ｄ通信の実現は、無線装置自体の間、及び／又は無線装置と無線通信ネットワークのアクセスポイントとの間の低電力通信を可能にし得る。低電力通信は、Ｄ２Ｄ通信に参加する無線装置間の各周波数帯域の使用をローカライズすることにより、限られた周波数帯域の再利用を可能にし得る。
【０００９】
幾つかの例では、Ｄ２Ｄペアの受信無線装置は、Ｄ２Ｄペアの送信無線装置からＤ２Ｄ通信を受信することと、無線通信ネットワークアクセスポイントへアップリンク通信を送信することとの間で遷移しても良い。受信モードと送信モードとの間の遷移は、Ｄ２Ｄペアの受信無線装置が無線通信を受信できない特定の時間量を要する場合がある。しかしながら、幾つかの例では、送信無線装置は、Ｄ２Ｄ通信を受信無線装置へ送信し、受信無線装置が遷移期間中にＤ２Ｄ通信の少なくとも一部を受信できるようにしても良い。
【００１０】
幾つかの実施形態では、受信無線装置が遷移期間中にＤ２Ｄ通信の少なくとも一部を受信するとき、受信無線装置はＤ２Ｄ通信の一部を受信することに関してタイミング衝突を経験し得る。さらに、Ｄ２Ｄ通信は、タイミング衝突を補償するよう調整されても良い。幾つかの実施形態では、Ｄ２Ｄ通信の１又は複数のシンボルは、タイミング衝突を補償するために調整されても良い。
【００１１】
さらに、タイミング衝突は、受信無線装置が受信モードから送信モードへと遷移しているときに生じても良く、又は受信無線装置が送信モードから受信モードへ遷移しているときに生じても良い。幾つかの実施形態では、受信無線装置が受信モードから送信モードへ遷移しているとき、Ｄ２Ｄ通信の後ろの方のシンボルのうちの１又は複数は、タイミング衝突を補償するために、ドロップされ又はヌル情報と共に含まれても良い。上述の及び他の実施形態では、受信無線装置が送信モードから受信モードへ遷移しているとき、Ｄ２Ｄ通信の始めの方のシンボルのうちの１又は複数は、タイミング衝突を補償するために、ドロップされ又はヌル情報と共に含まれても良い。
【００１２】
本願明細書で用いられる用語「受信無線装置」及び「送信無線装置」は、送信無線装置から受信無線装置へ送信されるＤ２Ｄ通信に関して、Ｄ２Ｄペアの中の無線装置の関係を表す。これらの用語は、受信無線装置が無線通信を受信するようにのみ構成されること、又は送信無線装置が無線通信を送信するようにのみ構成されることを意味しない。したがって、Ｄ２Ｄペアの受信無線装置はＤ２Ｄペアの送信装置又は別のＤ２Ｄペアの送信装置として動作しても良く、逆も同様である。
【００１３】
本開示の実施形態を、添付の図面を参照して以下に説明する。
【００１４】
図１は、本開示に記載される少なくとも１つの実施形態に従って配置される、無線装置間のＤ２Ｄ通信を制御するよう構成される例示的な無線通信ネットワーク１００（以後、「ネットワーク１００」と表す）を示す。ネットワーク１００は、１又は複数のアクセスポイント１０２を介して１又は複数の無線装置１０４に無線通信サービスを提供するよう構成されても良い。無線通信サービスは、音声サービス、データサービス、メッセージングサービス、及び／又はそれらの任意の適切な組合せであっても良い。ネットワーク１００は、ＦＤＭＡ（Frequency  Division  Multiple  Access）ネットワーク、ＯＦＤＭＡ（Orthogonal  FDMA）ネットワーク、ＣＤＭＡ（Code  Division  Multiple  Access）ネットワーク、ＴＤＭＡ（Time  Division  Multiple  Access）ネットワーク、及び／又は任意の他の適切な無線通信ネットワークを含んでも良い。幾つかの実施形態では、ネットワーク１００は、第３世代（３Ｇ）無線通信ネットワーク及び／又は第４世代（４Ｇ）無線通信ネットワークとして構成されても良い。上述の又は他の実施形態では、ネットワーク１００は、ＬＴＥ（long  term  evolution）無線通信ネットワークとして構成されても良い。
【００１５】
アクセスポイント１０２は、任意の適切な無線通信ネットワーク通信ポイントであっても良く、例として基地局、ｅＮＢ（evolved  node  B）基地局、ＲＲＨ（remote  radio  head）、又は任意の他の適切な通信ポイントを含んでも良いが、これらに限定されない。無線装置１０４は、無線通信サービスを得るためにネットワーク１００を使用し得る任意の装置を有しても良く、例として限定ではなく、携帯電話機、スマートフォン、ＰＤＡ（personal  data  assistant）、ラップトップコンピュータ、パーソナルコンピュータ、タブレットコンピュータ、又は無線通信サービスを用いる任意の他の類似の装置を含み得る。
【００１６】
幾つかの実施形態では、上述のように、ネットワーク１００は、無線装置１０４間のＤ２Ｄ通信を管理するよう構成されても良い。上述の実施形態のうちの幾つかでは、アクセスポイント１０２は、Ｄ２Ｄペアに無線通信リソースを割り当てるよう構成されても良い。幾つかの実施形態では、参照されることにより本願明細書に全内容が組み込まれる米国特許出願番号第１３/８３０,３４２号、Zhu他、２０１３年３月１４日出願、名称「NETWORK  SUPERVISED  DEVICE−TO−DEVICE  COMMUNICATION」に記載のように、無線通信リソースは、Ｄ２Ｄ送信パラメータを決定する間にＤ２Ｄペアに割り当てられても良い。
【００１７】
さらに、幾つかの実施形態では、米国特許出願番号第１３/８２８,４５７号、Zhu他、２０１３年３月１４日出願、名称「NETWORK  SUPERVISED  WIRELESS  DEVICE  NEIGHBOR  DISCOVERY」に記載のように、及び米国特許出願番号第１３/８２８,６１７号、Zhu他、２０１３年３月１４日出願、名称「POWER  CONTROL  OF  NEIGHBOR  DISCOVERY  SIGNALS」に記載のように、Ｄ２Ｄペアは近隣発見に基づき選択されても良い。これらの両出願の内容は、参照されることにより本願明細書に組み込まれる。
【００１８】
例えば、無線装置１０４ａ及び無線装置１０４ｂはＤ２Ｄペア１０３として構成され、アクセスポイント１０２は、無線装置１０４ａ及び１０４ｂのＤ２Ｄペア１０３に、無線通信リソースを割り当てるよう構成されても良い。図示の例では、無線装置１０４ｂがＤ２Ｄ信号を受信できるように、無線装置１０４ａは、無線装置１０４ｂにＤ２Ｄ信号を送信するよう構成されても良い。したがって、図示の例では、無線装置１０４ａはＤ２Ｄペア１０３に関して「送信無線装置１０４ａ」として表され、無線装置１０４ｂはＤ２Ｄペア１０３に関して「受信無線装置１０４ｂ」として表されても良い。
【００１９】
幾つかの実施形態では、アクセスポイント１０２は、送信無線装置１０４ａに、アクセスポイント１０２へ情報を通信するために１又は複数の他の無線装置１０４によっても使用され得るアップリンクチャネルリソース（例えば、タイムスロット、周波数、等）を用いて、Ｄ２Ｄ信号を送信するよう指示しても良い。幾つかの実施形態では、送信無線装置１０４ａは、ネットワーク１００内の通信のために使用される通信プロトコル構造の一部であり得る無線フレームを用いて、Ｄ２Ｄ信号を送信しても良い。
【００２０】
幾つかの実施形態では、アクセスポイント１０２は、受信無線装置１０４ｂが送信無線装置１０４ａからＤ２Ｄ通信を受信することに関してタイミング衝突を経験し得ることを決定するよう構成されても良い。上述の及び他の実施形態では、アクセスポイント１０２は、送信無線装置１０４ａに、タイミング衝突を補償するためにＤ２Ｄ通信を調整するよう指示しても良い。その結果、アクセスポイント１０２は、受信無線装置１０４ｂによるＤ２Ｄ信号の受信のタイミングに関連する問題を低減し得る、Ｄ２Ｄ信号及び該Ｄ２Ｄ信号の無線フレームの構成を決定するよう構成されても良い。
【００２１】
図２は、本願明細書に記載の少なくとも１つの実施形態に従って配置される、図１のネットワーク１００のような無線通信ネットワークの中の通信のために使用される通信プロトコル構造の一部であっても良い無線フレーム２００（本願明細書で「フレーム２００」として表す）を示す。フレーム２００は、サブフレーム２０２ａ、２０２ｂ、２０２ｃ、２０２ｄ、及び２０２ｅを有しても良い。これらのサブフレームは集合的にサブフレーム２０２として表される。サブフレーム２０２は、アップリンク（ＵＬ）サブフレーム、ダウンリンク（ＤＬ）サブフレーム、及び／又は特別（Ｓ）サブフレームとして設計されても良い。フレーム２００及びサブフレーム２０２は、情報を通信するために割指定された時間量に対応しても良い。
【００２２】
アップリンクサブフレーム中に、通信は、無線装置からアクセスポイントへ送信されても良い。ダウンリンクサブフレーム中に、通信は、アクセスポイントから無線装置へ送信されても良い。特別サブフレーム中に、制御通信が送信されても良く、特別サブフレームは、ネットワークの中の無線装置に送信するための構成と受信するための構成との間を、又はその逆を遷移できるようにし得る。アップリンク又はダウンリンクサブフレーム中に、Ｄ２Ｄ通信は、無線装置のＤ２Ｄペアの間で送信されても良い。アップリンク及び／又はダウンリンクサブフレームは、フレーム２００の範囲内でクラスタ化され又は広がっていても良い。
【００２３】
図３は、本願明細書に記載の少なくとも１つの実施形態に従って配置される、アップリンクサブフレーム３００（本願明細書で「サブフレーム３００」として表す）を示す。サブフレーム３００中に、情報は、ある装置から別の装置へ、例えばＤ２Ｄペアの送信無線装置からＤ２Ｄペアの受信無線装置へ、又は無線装置からアクセスポイントへ、通信されても良い。幾つかの実施形態では、情報は、シンボル３０２ａ、３０２ｂ、３０２ｃ（本願明細書でシンボル３０２として表す）を用いて通信されても良い。シンボルは、データが送信され得る固定時間期間の間に存続する通信チャネルの波形、状態、又は有意状態であっても良い。シンボル３０２は、特に、ＯＦＤＭ（orthogonal  frequency−division  multiplexing）シンボル、ＳＣ−ＦＤＭＡ（single  carrier  frequency  division  multiple  access）シンボル、ＯＦＤＭＡ（orthogonal  frequency−division  multiple  access）シンボル、であっても良い。
【００２４】
各シンボルの送信は、サブフレーム３００の一部を消費し得る。例えば、幾つかの実施形態では、サブフレーム３００は、４、６、８、１０、１２、１４、１６若しくは２０個、又はそれ以上のシンボルを有しても良い。サブフレーム３００中、シンボル３０２の一部は、データ情報を伝達しても良く、シンボル３０２の一部は、制御情報を伝達しても良い。
【００２５】
幾つかの実施形態では、情報がシンボルを用いて通信されるとき、受信装置（例えば、図１の無線装置１０４又はアクセスポイント１０２）は、タイミングウインドウを有しても良い。タイミングウインドウの間、シンボルは受信装置により受信され正しく復号化され得る。通信が受信ウインドウの外側で受信されると、受信装置は、特定の状況では、通信中にシンボルを復号化できない場合がある。したがって、送信及び受信装置の間の通信中に、送信装置（例えば、図１の無線装置１０４又はアクセスポイント１０２）及び受信装置は、実質的に同期し、受信装置の受信ウインドウの間に、送信装置からの送信が受信装置により受信できるようにしても良い。図１のネットワーク１００のようなネットワークの中の送信装置及び受信装置は通常互いに近くに位置しないので、送信装置からの送信は、受信装置に即時に又はほぼ即時に到達しない。送信装置により送信が送られたときから受信装置により該送信が受信されるまでの遅延は、伝搬遅延と表される。
【００２６】
送信装置と受信装置との間の伝搬遅延の結果として、送信装置は、受信装置の受信ウインドウの前に送信を送り、受信装置が受信ウインドウの間に送信を受信できるようにしても良い。送信装置が受信装置の受信ウインドウの前に送信を送ることができる時間量は、時間調整（time  adjust：ＴＡ）として表される。送信のための時間調整は、送信装置と受信装置との間の伝搬遅延に基づき決定されても良い。例えば、幾つかの実施形態では、送信のための時間調整は、送信装置と受信装置との間の伝搬遅延に等しくても良い。
【００２７】
図４は、本開示に記載される少なくとも１つの実施形態に従って配置される、Ｄ２Ｄペア４０３とアクセスポイント４０２とを有する例示的な無線通信ネットワーク４００（以後、「ネットワーク４００」と表す）を示す。図示の実施形態では、Ｄ２Ｄペア４０３の送信無線装置は「ＤＵＥＴ」により示され、Ｄ２Ｄペア４０３の受信無線装置は「ＤＵＥＲ」により示される。図４は、アクセスポイント４０２、ＤＵＥＴ及びＤＵＥＲの間で送信される信号の伝搬遅延を示す。図示の実施形態では、ＤＵＥＴとＤＵＥＲとの間伝搬遅延は「ＴＤ」により表され、ＤＵＥＲとアクセスポイント４０２との間伝搬遅延は「ＴＲＣ」により表され、ＤＵＥＴとアクセスポイント４０２との間伝搬遅延は「ＴＴＣ」により表される。
【００２８】
図４の図示の実施形態では、ＤＵＥＲ及びＤＵＥＴは両方とも、アクセスポイント４０２に通信されても良い。アクセスポイント４０２との通信を確立するとき、伝搬遅延ＴＲＣ及びＴＴＣが決定されても良い。アクセスポイント４０２へのそれらの個々の伝搬遅延ＴＴＣ及びＴＲＣを用いて、ＤＵＥＴ及びＤＵＥＲは、アクセスポイント４０２へのそれらの送信を時間調整し、及びアクセスポイント４０２と同期して、送信がＤＵＥＲ及びＤＵＥＴによりいつ受信され得るかをアクセスポイント４０２が分かるようにしても良い。
【００２９】
幾つかの実施形態では、ＤＵＥＴは、アクセスポイント４０２とＤＵＥＲの両方に、同時に、例えば同じサブフレーム中に信号を送信するよう構成されても良い。しかしながら、伝搬遅延ＴＤ及びＴＴＣは異なり得るので、アクセスポイント４０２に及びＤＵＥＲに送信するときにＤＵＥＴにより用いられる送信のための時間調整は異なっても良い。したがって、ＤＵＥＴがアクセスポイント４０２及びＤＵＥＲの両方へ同時に送信しているとき、ＤＵＥＴは、伝搬遅延ＴＴＣ又は伝搬遅延ＴＤのいずれかに基づき時間調整を選択しても良い。幾つかの実施形態では、他の無線装置がＤＵＥＴと一緒にアクセスポイント４０２と通信している場合があるので、ＤＵＥＴは、アクセスポイント４０２及びＤＵＥＴの両方と同時に通信しているとき、伝搬遅延ＴＴＣに基づき時間調整を選択しても良い。
【００３０】
ＤＵＥＲ及びＤＵＥＴが上述のように近隣発見を用いてＤ２Ｄペア４０３としてペアにされる、又は何らかの他の方法を用いてペアにされるとき、ＤＵＥＲとＤＵＥＴとの間の伝搬遅延ＴＤは、決定されていなくても良い。さらに、ＤＵＥＲは、ＤＵＥＴがＤＵＥＴとアクセスポイント４０２との間の時間調整に基づき特定のアップリンクサブフレームの中で信号を送信し始めるときを知らなくても良い。ＤＵＥＲは、アクセスポイント４０２から受信した情報に基づき、Ｄ２Ｄ通信がＤＵＥＴから受信され得る特定のアップリンクサブフレームを知っても良い。しかし、ＤＵＥＲは、ＤＵＥＴからのＤ２Ｄ送信が特定のアップリンクサブフレームの中で又はその周辺で受信されると期待される時を知らなくても良い。
【００３１】
ＤＵＥＲとＤＵＥＴとの間のタイミングを確立し、ＤＵＥＲがＤＵＥＴからのＤ２Ｄ通信で受信したシンボルを正しく復号化できるように、幾つかの実施形態では、ＤＵＥＲ及び／又はアクセスポイント４０２は、ＤＵＥＲがＤＵＥＴからのＤ２Ｄ通信を受信し得る時間を推定しても良い。例えば、多くの場合、ＤＵＥＴとＤＵＥＲとの間の距離は１０００メートル（ｍ）より少なくても良い。その結果、ＴＴＣとＴＲＣとの間の最大差（｜ＴＴＣ−ＴＲＣ｜）は１０マイクロ秒（μｓ）より小さくても良い。多くの場合、ＴＴＣとＴＲＣとの間の最大差は、１０μｓより遙かに小さい。例えば、ＤＵＥＴとＤＵＥＲとの間の距離が１００ｍより少ないとき、｜ＴＴＣ−ＴＲＣ｜は１μｓより小さくなり得る。
【００３２】
したがって、アクセスポイント４０２及び／又はＤＵＥＲは、アクセスポイント４０２と通信するときＤＵＥＲにより使用される時間調整が、アクセスポイント４０２と通信するときＤＵＥＴにより使用される時間調整と同様であると推定しても良い。なぜなら、ＤＵＥＲ及びＤＵＥＴの個々の伝搬遅延（ＴＲＣ及びＴＴＣ）は比較的近いからである。その結果、ＤＵＥＲは、ＤＵＥＲがＤＵＥＴからＤ２Ｄ通信を受信するようスケジューリングされ得るアップリンクサブフレームの間にＤＵＥＲがアクセスポイント４０２へ通信を送信するのとほぼ同時に、ＤＵＥＴがＤ２Ｄ通信をＤＵＥＲへ送信し得ると推定しても良く、或いはアクセスポイント４０２がＤＵＥＲに推定するよう命令しても良い。さらに、ＤＵＥＲとＤＵＥＴとの間の距離は小さいので、ＤＵＥＲとＤＵＥＴとの間の伝搬遅延ＴＤは小さくなり得る。したがって、ＤＵＥＲは、ＤＵＥＲがアクセスポイント４０２へ送信した後の小さなウインドウで、Ｄ２Ｄ通信がＤＵＥＴから受信され得ると推定しても良い。
【００３３】
ＤＵＥＲがＤ２Ｄ通信の受信され得るときを推定できるので（又はアクセスポイント４０２から推定を受信できるので）、ＤＵＥＴは、ＤＵＥＲへのＤ２Ｄ通信の最初のシンボルの間のタイミングプリアンブルを用いて、ＤＵＥＲがＤＵＥＴからのＤ２Ｄ通信の後続のシンボルの到着を良好に推定できるようにしても良い。幾つかの実施形態では、タイミングプリアンブルは、アップリンクサブフレームの中のＤ２Ｄ通信の最初のシンボルを占有しても良く、Ｚａｄｏｆｆ−Ｃｈｕ系列に基づいても良い。タイミングプリアンブルは、Ｄ２Ｄ通信におけるＤＵＥＲにおける後続シンボルの到着に関する干渉及び推定誤差を低減するために用いることができる。上述の及び他の実施形態では、アクセスポイント４０２は、タイミングプリアンブルを構成しても良く、ＰＤＣＣＨ（physical  downlink  control  channel）通信のような制御通信の中でタイミングプリアンブルをＤＵＥＴへ送信しても良い。アクセスポイント４０２は、ＤＵＥＴからのＤ２Ｄ通信がタイミングプリアンブルを有し得ることもＤＵＥＲに示しても良い。
【００３４】
代替で又は追加で、ＤＵＥＴは、タイミングプリアンブルを周期的に予定通りに送信するよう構成され、ＤＵＥＲがタイミングプリアンブルの送信されるときが分かるようにしても良い。幾つかの実施形態では、Ｄ２Ｄペア４０３は、ＤＵＥＴからＤＵＥＲへのＤ２Ｄ通信の推定到着時間を提供するために、タイミングプリアンブルを用いなくても良い。上述の及び他の実施形態では、Ｄ２Ｄペア４０３は、ＳＲＳ（sounding  reference  signals）又は他の発見信号を用いて、ＤＵＥＲ又はアクセスポイント４０２がＤＵＥＴからのＤ２Ｄ通信の到着時間を推定できるようにしても良い。
【００３５】
ＤＵＥＴが、アクセスポイント４０２へのアップリンク通信について決定された時間調整を、ＤＵＥＲへのＤ２Ｄ通信及びアクセスポイント４０２へのアップリンク通信のために用いるので、ＤＵＥＴは通信の受信と送信との間でタイミング衝突を経験し得ない。しかしながら、サブフレーム２０２ａ及びサブフレーム２０２ｂが図２のフレーム２００の中で隣接しているような、複数のアップリンクサブフレームが１つのフレーム内で隣接しているとき、ＤＵＥＲはタイミング衝突を有し得る。特に、ＤＵＥＲがＤ２Ｄ通信を、アップリンクサブフレームのうちの１つの間に（例えば、図２のサブフレーム２０２ａの間に）アクセスポイント４０２へ送信しているとき、及び別のアップリンクサブフレームの間に（例えば、図２のサブフレーム２０２ｂの間に）ＤＵＥＴから受信しているとき、ＤＵＥＲはタイミング衝突を経験し得る。起こり得るタイミング衝突及びタイミング衝突を回避するための解決策は、図５及び６に示される。
【００３６】
図５は、本願明細書に記載の少なくとも１つの実施形態に従って配置される、図４のＤＵＥＲ（図５には示されない）において受信され得るＤ２Ｄ通信のタイミング図５００を示す。タイミング図５００は、ＤＵＥＲにおいて受信され得るＤ２Ｄ通信、及びＤＵＥＲからアクセスポイントへ送信され得る他の通信を示す。タイミング図５００は、ＤＵＥＲと通信する図４のアクセスポイント４０２（図５には示されない）に関して参照され得る３個のサブフレーム、つまりサブフレーム５０２ａ、サブフレーム５０２ｂ、及びサブフレーム５０２ｃに渡り得る。サブフレーム５０２ａ、５０２ｂ及び５０２ｃのうち、サブフレーム５０２ｂ及び５０２ｃはアップリンクサブフレームであっても良い。サブフレーム５０２ｂの間、ＤＵＥＲは、アップリンク（ＵＬ）通信バースト５０４（図５に「ＤＵＥＲ  ＵＬバースト５０４」として示される）をアクセスポイント４０２へ送信していても良い。
【００３７】
ＤＵＥＲは、サブフレーム５０２ａの間に時間Ｔ１において、アクセスポイント４０２へＵＬ通信バースト５０４を送信し始めても良い。時間Ｔ１は、時間Ｔ６の前であっても良い。時間Ｔ６は、サブフレーム５０２ｂが始まり得るときであっても良く、アクセスポイント４０２がＤＵＥＲからのＵＬ通信バースト５０４の始めを受信すると期待しているときであっても良い。時間Ｔ１と時間Ｔ６との間の差は、ＤＵＥＲとアクセスポイント４０２との間の時間調整であっても良く、伝搬遅延ＴＲＣに基づいても良い（例えば、図示の実施形態では、時間Ｔ１と時間Ｔ６との間の時間調整は、伝搬遅延ＴＲＣであっても良い）。ＤＵＥＲは、時間Ｔ２まで、ＵＬ通信バースト５０４をアクセスポイント４０２へ送信しても良い。Ｔ１とＴ２との間の時間は、おおよそサブフレーム５０２の期間であっても良く、ＤＵＥＲとアクセスポイント４０２との間の伝搬遅延ＴＲＣを考慮するために、ＤＵＥＲとアクセスポイント４０２との間の時間調整によりシフトされた時間であっても良い。
【００３８】
さらに、ＤＵＥＴは、サブフレーム５０２ｃの間に、Ｄ２Ｄ通信バースト５０６（図５に「Ｄ２Ｄバースト５０６」として示される）をＤＵＥＲへ送信するようスケジューリングされても良い。サブフレーム５０２ｃの間にＤＵＥＴからのＤ２Ｄ通信バースト５０６を受信するために、ＤＵＥＲは、送信モードから受信モードに切り替えても良い。上述のように、ＤＵＥＲは時間Ｔ２までアクセスポイント４０２に送信していても良い。時間Ｔ２で、ＤＵＥＲは送信モードから受信モードへ切り替え始めても良い。図５の「ＴＵＥＴＸＲＸ」は、送信モードから受信モードへ切り替えるためにＤＵＥＲに渡される時間を示す。したがって、ＤＵＥＲは、送信モードから受信モードに切り替えるための時間により、時間Ｔ４においてＴＵＥＴＸＲＸが経過する後まで、ＤＵＥＴからＤ２Ｄ通信（例えば、Ｄ２Ｄ通信バースト５０６）を受信することができなくても良い。
【００３９】
ＤＵＥＴは、サブフレーム５０２ｃの開始、及びＤＵＥＴとアクセスポイント４０２との間の伝搬遅延（ＴＴＣ）に基づき、Ｄ２Ｄ通信バースト５０６を送信し始めるよう構成されても良い。伝搬遅延（ＴＴＣ）は、ＤＵＥＴとアクセスポイント４０２との間の関連する時間調整を示しても良い。したがって、ＤＵＥＴは、時間Ｔ５におけるサブフレーム５０２ｃの開始及びＴ５からＴ７を差し引いたものにほぼ等しい伝搬遅延ＴＴＣに基づき、時間Ｔ７でＤ２Ｄ通信バースト５０６を送信し始めても良い。しかしながら、ＤＵＥＴとＤＵＥＲとの間の伝搬遅延ＴＤは、ＤＵＥＴとアクセスポイント４０２との間の伝搬遅延ＴＴＣより少なくても良い。結果として、Ｄ２Ｄ通信バースト５０６は、時間Ｔ３においてＤＵＥＲに到着しても良い（時間Ｔ３は、ＤＵＥＲが、上述のようにＤ２Ｄ通信バースト５０６の推定到着時間に基づき、Ｄ２Ｄ通信バースト５０６を受信することを期待し得る時間フレームの範囲内にあっても良い）。しかしながら、図示の実施形態では、時間Ｔ３は時間Ｔ４の前であっても良い。時間Ｔ４は、ＤＵＥＲが送信モードから受信モードへの切り替えを終了し得る時間であっても良い。その結果、ＤＵＥＲは、Ｄ２Ｄ通信バースト５０６が時間Ｔ３において到着するとき、Ｄ２Ｄ通信バースト５０６を受信する準備ができていないので、タイミング衝突を有し得る。
【００４０】
したがって、幾つかの実施形態では、ＤＵＥＲにより経験されるタイミング衝突は、アクセスポイント４０２により予測されても良い。例えば、アクセスポイント４０２がＵＬ通信バースト５０４のようなＵＬ通信を第１のサブフレーム、例えばサブフレーム５０２ｂで送信するようＤＵＥＲをスケジューリングし、Ｄ２Ｄ通信バースト５０６のようなＤ２Ｄ通信を後続のサブフレーム、例えばサブフレーム５０２ｃでＤＵＥＴから受信するようＤＵＥＲをスケジューリングし、及び伝搬遅延ＴＤがＤＵＥＲのＴＵＥＴＸＲＸより少ないとき、アクセスポイント４０２は、タイミング衝突がＤＵＥＲにより経験され得ると予測しても良い。
【００４１】
幾つかの実施形態では、タイミング衝突を解決するために、アクセスポイント４０２は、Ｄ２Ｄ通信バースト５０６を調整するようＤＵＥＴに命令しても良い。例えば、幾つかの実施形態では、アクセスポイント４０２は、ＤＵＥＲがＤＵＥＴからのＤ２Ｄ通信を受信できない衝突時間の間、シンボルを提供しないようＤＵＥＴに命令しても良い。例えば、アクセスポイント４０２は、少なくとも時間Ｔ４と時間Ｔ３との間の差の期間の間、Ｄ２Ｄ通信バースト５０６の始めにある１又は複数のシンボルを提供しないよう、ＤＵＥＴに命令しても良い。アクセスポイント４０２は、この衝突時間の間、１又は複数のシンボルを期待しないよう、ＤＵＥＲにも指示しても良い。したがって、Ｄ２Ｄ通信は、１又は複数のシンボルだけ短縮され得る。
【００４２】
代替で又は追加で、アクセスポイント４０２は、基本的にはＤＵＥＴにＤ２Ｄバースト５０６を送信するのを待つよう命令しながら、衝突時間の間、送信をミュートするよう、ＤＵＥＴにも指示しても良い。例えば、アクセスポイント４０２は、少なくとも時間Ｔ４と時間Ｔ３との間の差の期間の間、Ｄ２Ｄ通信バースト５０６を送信するのを待つよう、ＤＵＥＴに命令しても良い。代替で又は追加で、アクセスポイント４０２は、Ｄ２Ｄ通信バースト５０６の始めのシンボルのうちの１又は複数に情報を含めないよう、ＤＵＥＴに命令しても良く、シンボルがヌルであることをＤＵＥＲに指示しても良い。
【００４３】
代替で又は追加で、ＤＵＥＲタイミング衝突がＤ２Ｄ通信バースト５０６の第１のシンボルの一部に影響するが全部には影響しないとき、アクセスポイント４０２は、ＤＵＥＲが第１のシンボルのより少数のサンプルを用いて第１のシンボルを復号化できるように第１のシンボルを構築するようＤＵＥＴに命令することにより、ＤＵＥＲ及びＤＵＥＴにタイミング衝突を補償させても良い。上述の及び他の実施形態で、アクセスポイント４０２は、Ｄ２Ｄ通信バースト５０６の第１のシンボルがより少数のサンプルで再構築できることを、ＤＵＥＲに知らせても良い。幾つかの実施形態では、ＤＵＥＲは、第１のシンボルをより少数のサンプルで復号化するために、フーリエ変換を用いてサンプリングしても良い。送信遅延、ドロップされる又はヌルとして扱われるシンボルの数、又は第１のシンボルの短縮されたサンプリングは、各シンボルの期間、伝搬遅延ＴＴＣ、伝搬遅延ＴＤ、及び遷移時間ＴＵＥＴＸＲＸのうちのいずれか１つ又はそれらの組合せに基づいても良い。
【００４４】
図６は、本願明細書に記載の少なくとも１つの実施形態に従って配置される、図４のＤＵＥＲ（図６には示されない）において受信され得るＤ２Ｄ通信のタイミング図６００を示す。タイミング図６００は、ＤＵＥＲから送信される通信及びＤＵＥＲにおいて受信される通信を示し得る。タイミング図６００は、ＤＵＥＲと通信するアクセスポイント４０２（図６には示されない）を参照する３個のサブフレーム、つまりサブフレーム６０２ａ、サブフレーム６０２ｂ、及びサブフレーム６０２ｃに渡り得る。サブフレーム６０２ａ、６０２ｂ及び６０２ｃのうち、サブフレーム６０２ｂ及び６０２ｃはアップリンクサブフレームであっても良い。時間Ｔ７で開始され得るサブフレーム６０２ｂの間、ＤＵＥＲは、図４のＤＵＥＴ（図６に示されない）からＤ２Ｄ通信バースト６０４（図６に「Ｄ２Ｄバースト６０４」として示される）を受信していても良い。ＤＵＥＴからＤＵＥＲへ送信されるＤ２Ｄ通信バースト６０４は、サブフレーム６０２ａの範囲内の時間Ｔ１においてＤＵＥＲに到着し、時間Ｔ３まで続いても良い。幾つかの実施形態では、Ｄ２Ｄ通信バースト６０４は、上述のように、アクセスポイント４０２に対するＤＵＥＴの時間調整「ＴＴＣ」に基づき、サブフレーム６０２ａの間に時間Ｔ７の前の時間Ｔ１で開始しても良い。さらに、ＤＵＥＲは、上述のように決定され得るＤ２Ｄ通信バースト６０４の推定到着時間に基づき、Ｄ２Ｄ通信バースト６０４がおおよそ時間Ｔ１にＤＵＥＲに到着し得ると推定しても良い。
【００４５】
ＤＵＥＲは、サブフレーム６０２ｃの間に、アクセスポイント４０２へＵＬ通信バースト６０６（図６に「ＤＵＥＲＵＬバースト６０６」として示される）を送信するよう（例えば、アクセスポイント４０２により）スケジューリングされても良い。ＤＵＥＲは、アクセスポイント４０２に対するＤＵＥＲの時間調整「ＴＲＣ」に基づき、時間Ｔ２でアクセスポイント４０２へＵＬ通信バースト６０６を送信し始め、アクセスポイント４０２がＵＬ通信バースト６０６を時間Ｔ５で受信できるようにしても良い。時間Ｔ５は、サブフレーム６０２ｃの始めであっても良く、したがって、アクセスポイント４０２がＤＵＥＲから通信を受信すると期待している時間であっても良い。
【００４６】
ＤＵＥＲに時間Ｔ２でアクセスポイント４０２へ送信させるために、ＤＵＥＲは、時間Ｔ４で受信モードから送信モードへ切り替え始めて、受信モードから送信モードへの遷移時間「ＴＵＥＴＸＲＸ」が、ＤＵＥＲが時間Ｔ２でＵＬ通信バースト６０６を送信し始める前に経過するようにしても良い。しかしながら、時間Ｔ４は、時間Ｔ３の前であっても良い。時間Ｔ３は、ＤＵＥＴからＤＵＥＲへ送信されたＤ２Ｄ通信バースト６０４が終了する時間である。ＤＵＥＲに時間Ｔ５でアクセスポイント４０２にＵＬ通信バースト６０６を提供させるために、ＤＵＥＴからのＤ２Ｄ通信バースト６０４がＤＵＥＲにまだ到着している間に、ＤＵＥＲは送信モードに切り替え始めても良い。その結果、ＤＵＥＲは、タイミング衝突を有しても良く、ＤＵＥＲが受信モードから送信モードに切り替え始めるとき、時間Ｔ４の後にＤＵＥＲに到着し得るＤ２Ｄ通信バースト６０４の一部を受信できなくても良い。
【００４７】
幾つかの実施形態では、ＤＵＥＲにより経験されるタイミング衝突は、アクセスポイント４０２により予測されても良い。例えば、アクセスポイント４０２が、ＤＵＥＴからのＤ２Ｄ通信バースト６０４をサブフレーム６０２ｂで受信するようＤＵＥＲをスケジューリングし、及びＵＬ通信バースト６０６をサブフレーム６０２ｃで送信するようＤＵＥＲをスケジューリングするとき、タイミング衝突は、アクセスポイント４０２により予測されても良い。幾つかの実施形態では、タイミング衝突を解決するために、アクセスポイント４０２は、タイミング衝突の間、シンボル又はシンボルの部分を提供しないよう、ＤＵＥＴに命令しても良い。アクセスポイント４０２は、時間Ｔ４の後、シンボルを期待しないよう、ＤＵＥＲにも指示しても良い。したがって、通信は、タイミング衝突に依存して１又は複数のシンボルだけ短縮され得る。
【００４８】
例えば、幾つかの実施形態では、Ｄ２Ｄ通信バースト６０４の中のシンボルの長さは、時間Ｔ３と時間Ｔ４との間の差の期間より大きくても良い。したがって、アクセスポイント４０２は、通信を１シンボルだけ短くカットすることにより、タイミング衝突の間、通信をミュートする（消す）よう、ＤＵＥＴに指示しても良い。したがって、ＤＵＥＴは、短縮されたＤ２Ｄ通信バースト６０８（図６で「Ｄ２Ｄバースト６０８」として示される）を送信しても良い。Ｄ２Ｄ通信バースト６０８は、シンボル長に基づき、時間Ｔ４の前の時間Ｔ６で終了しても良い。アクセスポイント４０２は、これが生じうることを、ＤＵＥＲにも指示し、ＤＵＥＲが通信バースト６０４の代わりに短縮されたＤ２Ｄ通信バースト６０８を受信することを期待するようにしても良い。
【００４９】
代替で又は追加で、アクセスポイント４０２は、Ｄ２Ｄ通信バースト６０４の最後のシンボルに情報を含めないよう、ＤＵＥＴに命令しても良く、Ｄ２Ｄ通信バースト６０４の最後のシンボルがヌルであることをＤＵＥＲに指示しても良い。
【００５０】
代替で又は追加で、アクセスポイント４０２は、時間Ｔ４が生じ得るときに依存して、Ｄ２Ｄ通信バースト６０４の最後のシンボルの一部のみを短縮するよう又はそれにヌル情報を含むよう、ＤＵＥＴに指示しても良い。さらに、アクセスポイント４０２は、時間Ｔ４が生じ得るときに依存して、Ｄ２Ｄ通信バースト６０４の最後のシンボルのうちの１より多くを短縮するよう又はそれにヌル情報を含むよう、ＤＵＥＴに指示しても良い。さらに、幾つかの実施形態では、アクセスポイント４０２は、Ｄ２Ｄ通信バースト６０４を送信し始めるようＤＵＥＴに命令して、Ｄ２Ｄ通信バースト６０４が時間Ｔ１の前に到着し、Ｄ２Ｄ通信バースト６０４の最後が時間Ｔ４の前にＤＵＥＲに到着できるようにしても良い。
【００５１】
再び図４を参照して、アップリンクサブフレームでＤＵＥＲにより経験されるタイミング衝突を補償する概略のフローを以下に説明する。アクセスポイント４０２は、ＵＬ及びＤ２Ｄ通信に関連し得る通信フレームのサブフレームを決定しても良い。アクセスポイント４０２は、ＵＬ及びＤ２Ｄ通信をスケジューリングする間に、ＤＵＥＲ及びＤＵＥＴにサブフレームを指示しても良い。アクセスポイント４０２が、上述のようにタイミング衝突が生じ得ると決定すると、アクセスポイント４０２は、タイミング衝突を補償するために、ＤＵＥＲへ送信されているＤ２Ｄ通信を操作するよう、ＤＵＥＴに指示しても良い。アクセスポイント４０２は、タイミング衝突を補償するために、Ｄ２Ｄ通信がＤＵＥＴによりどのように操作され得るかを、ＤＵＥＲに更に指示しても良い。このように、ネットワーク４００は、ＤＵＥＲとＤＵＥＴとの間のＤ２Ｄ通信がアップリンクサブフレーム中に生じるようにし、起こり得るタイミング衝突を解決し得る。
【００５２】
本開示の範囲から逸脱することなく、図１〜６に関して上述した要素及び方法に対して変更、追加、又は省略が行われても良い。例えば、Ｄ２Ｄ通信バーストの及びそれらの関連するシンボル及びシンボル長の変更は、特定の状況に依存して変化しても良い。例えば、図６に関して上述したようなシナリオで、Ｄ２Ｄ通信バースト６０４に含まれる情報の全体の長さは、任意の適切な方法を用いて短縮されて、ＤＵＥＲが受信モードから送信モードへの遷移を開始した後に、ＤＵＥＲが任意の関連情報を受信しないようにしても良い。
【００５３】
図７は、本願明細書に記載の少なくとも１つの実施形態に従って配置された、複数の装置へのＤ２Ｄ通信の送信を補償する例示的な方法７００のフローチャートを示す。方法７００は、幾つかの実施形態では、それぞれ図１及び４に関連して記載されたネットワーク１００及び４００のような無線通信ネットワークにより実施されても良い。別個のブロックとして示したが、所望の実装に依存して、種々のブロックは、更なるブロックに分割され、少ないブロックに結合され、又は除去されても良い。
【００５４】
方法７００は開始し、ブロック７０２で、受信無線装置が送信モードと受信モードとの間を遷移している間に、Ｄ２Ｄペアの受信無線装置（例えば、図４のＤＵＥＲ）がＤ２Ｄペアの送信無線装置（例えば、図４のＤＵＥＴ）により送信されたＤ２Ｄ通信の少なくとも一部を受信することに関してタイミング衝突を経験し得ることが決定されても良い。幾つかの実施形態では、Ｄ２Ｄ通信の送信及び／又は受信は、送信無線装置及びアクセスポイントに関連する時間調整に基づき、スケジューリングされても良い。さらに、幾つかの実施形態では、受信モードから送信モードへ遷移している間に、受信無線装置がタイミング衝突を経験し得ることが決定されても良い。上述の及び他の実施形態では、送信モードから受信モードへ遷移している間に、受信無線装置がタイミング衝突を経験し得ることが決定されても良い。
【００５５】
ブロック７０４で、Ｄ２Ｄ通信は、タイミング衝突を補償するよう調整されても良い。幾つかの実施形態では、タイミング衝突を補償するためにＤ２Ｄ通信を調整することは、Ｄ２Ｄ通信の中のシンボルを調整することを有しても良い。上述の及び他の実施形態で、Ｄ２Ｄ通信を調整することは、Ｄ２Ｄ通信の１又は複数のシンボルをドロップすること、Ｄ２Ｄ通信の１又は複数のシンボルにヌル情報を含めること、１又は複数のシンボルのタイミングを調整すること、シンボルのサンプリング再構成を低減すること、及び／又はＤ２Ｄ通信の１又は複数のシンボルの長さを短縮すること、を有しても良い。幾つかの実施形態では、以上に挙げられた動作は、Ｄ２Ｄ通信の最初の又は最後のシンボルのうちの１又は複数に対して実行されても良い。
【００５６】
さらに、上述の又は他の実施形態で、タイミング衝突を補償するためにＤ２Ｄ通信を調整することは、Ｄ２Ｄ通信の送信を遅らせること、又はＤ２Ｄ通信の送信を早めることを有しても良い。さらに、幾つかの実施形態では、Ｄ２Ｄ通信を調整することは、受信無線装置が送信モードから受信モードへ遷移していることに基づき、Ｄ２Ｄ通信の最初の部分を調整すること、又は受信無線装置が送信モードから受信モードへ遷移していることに基づき、Ｄ２Ｄ通信の最後の部分を調整することを有しても良い。また、Ｄ２Ｄ通信を調整することは、アクセスポイントが、Ｄ２Ｄ通信を調整するよう送信無線装置に指示すること、及び送信無線装置がＤ２Ｄ通信を調整することを有しても良い。
【００５７】
したがって、方法７００は、Ｄ２Ｄ通信に関して生じ得るタイミング衝突を補償するために実行されても良い。当業者は、この処理及び本願明細書に開始した他の処理及び方法において、その処理及び方法で実行される機能が異なる順序で実施されても良いことを理解するだろう。さらに、概略のステップ及び動作は、単に例として提供され、幾つかのステップ及び動作は、開示の実施形態の本質から逸脱することなく、任意であり、より少ないステップ及び動作に組み合わされ、又は追加ステップ及び動作に拡張されても良い。
【００５８】
幾つかの実施形態では、アクセスポイント、Ｄ２Ｄペアの受信無線装置（例えば、図４のＤＵＥＲ）、及び／又はＤ２Ｄペアの送信無線装置（例えば、図４のＤＵＥＴ）は、専用ハードウェア実装を用いて、又はコンピュータ実行可能命令若しくはソフトウェアの形式で格納されたデータ構造を有するコンピュータ可読媒体のようなハードウェア、又はハードコードされたハードウェアとソフトウェアを含むコンピュータ可読媒体との何らかの組合せを用いて、本願明細書に記載の１又は複数の動作及び機能を実行しても良い。このようなコンピュータ可読媒体は、汎用又は特定目的コンピュータによりアクセスできる利用可能な媒体であり得る。例として且つ限定ではなく、このようなコンピュータ可読媒体は、ＲＡＭ（Random  Access  Memory）、ＲＯＭ（Read−Only  Memory）、ＥＥＰＲＯＭ（Electrically  Erasable  Programmable  Read−Only  Memory）、ＣＤ−ＲＯＭ（Compact  Disc  Read−Only  Memory）又は他の光ディスク記憶装置、磁気ディスク記憶装置又は他の磁気記憶装置を含む有形コンピュータ可読記憶媒体、又はコンピュータにより実行可能な命令若しくはデータ構造の形式で所望のプログラムコード手段を伝える若しくは格納するために用いられ汎用若しくは特定目的コンピュータによりアクセス可能な他の媒体を有し得る。上述の組合せも、コンピュータ可読媒体の範囲に包含され得る。
【００５９】
コンピュータにより実行可能な命令は、例えば、プロセッサ、汎用コンピュータ、特定目的コンピュータ又は特定目的処理装置に特定の機能又は機能グループを実行させる命令及びデータを有する。本発明の主題は構造的特徴及び／又は方法論的動作に特有の言葉で記載されたが、本発明の主題は、特許請求の範囲に定められる上述の特定の特徴又は動作に限定されないことが理解されるべきである。むしろ、上述の特定の特徴及び動作は、特許請求の範囲の実施の例示的形態として開示されたものである。
【００６０】
本願明細書で用いられるように、用語「モジュール」又は「コンポーネント」は、モジュール若しくはコンポーネントの動作を実行するよう構成される特定ハードウェア実装、及び／又はコンピューティングシステムの汎用ハードウェア（例えばコンピュータ可読媒体、処理装置、等）に格納され及び／又はそれらにより実行され得るソフトウェアオブジェクト若しくはソフトウェアルーチンを表しても良い。幾つかの実施形態では、本願明細書に記載されたのと異なるコンポーネント、モジュール、エンジン及びサービスは、（例えば、別個のスレッドとして）コンピューティングシステムで実行されるオブジェクト又は処理として実施されても良い。本願明細書に記載のシステム及び方法の幾つかは概して（汎用ハードウェアに格納される及び／又はそれにより実行される）ソフトウェアで実装されるように記載されたが、専用ハードウェアの実装又はソフトウェアと専用ハードウェアの組み合わせの実装も可能であり考えられる。この説明では、「コンピュータエンティティ」は、本願明細書で先に定められたようにコンピューティングシステム、又はコンピューティングシステムで実行されるモジュール若しくはモジュールの組合せであっても良い。
【００６１】
本開示に記載された全ての例及び条件文は、教育上の目的で、読者が本発明の原理及び発明者により考案された概念を理解するのを助け、技術を促進させるためであり、これらの特に記載された例及び条件に限定されないものと考えられるべきである。本開示の実施形態が詳細に記載されたが、種々の変更、置換及び修正が本開示の精神及び範囲から逸脱することなく行われうることが理解されるべきである。
【図１】
2016517673.tif 000003
【図２】
2016517673.tif 000004
【図３】
2016517673.tif 000005
【図４】
2016517673.tif 000006
【図５】
2016517673.tif 000007
【図６】
2016517673.tif 000008
【図７】
2016517673.tif 000009
【国際調査報告】
2016517673.tif 000010